(57)【特許請求の範囲】
【請求項１】
自動販売機本体の収納室を左右に仕切る仕切り板を備え、前記仕切り板は、周囲に熱溶着部であるヒレを有する略矩形状の真空断熱材からなる第１の断熱材と、粘着部を有する軟質フォームからなり前記仕切り板の前枠、上枠、下枠、後枠となる第２の断熱材と、シートとからなり、前記第１の断熱材の上部、下部、後部の前記ヒレが折られて仮止めされた状態で前記第１の断熱材の上部、下部、後部に前記上枠、下枠、後枠となる前記第２の断熱材が組み合わされ、前記第１の断熱材の前部の前記ヒレは折らずに前記前枠となる前記第２の断熱材と前記粘着部により接合され、一枚の前記シートが前記第１の断熱材及び前記第２の断熱材の組み合わされたものの左右両面と前記後枠の後面とを一緒に覆って前記第１の断熱材及び前記第２の断熱材を一体化していることを特徴とする自動販売機。
【発明の詳細な説明】
【技術分野】
【０００１】
本発明は商品収納装置に収納された商品を冷却または加温して商品を販売するようにした自動販売機に関し、特に庫内を仕切っている断熱壁の仕切り板に関するものである。
【背景技術】
【０００２】
従来、この種の自動販売機としては、例えば、仕切り板の構造としては前枠部が第１の断熱材よりも低い断熱性能を有する断熱材で形成されている特許文献１のものがある。
【０００３】
図３（ａ）は特許文献１に記載された従来の自動販売機の仕切り板の分解斜視図、図３（ｂ）は従来の自動販売機の仕切り板における第１の断熱材のヒレ部と第２の断熱材との平面断面図を示すものである。
【０００４】
図３（ａ）において、仕切り板１は、真空断熱材の第１の断熱材２、この第１の断熱材２を補強するための第２の断熱材である上枠３、下枠４、後枠５、前枠６を配置し、前枠６に取り付けたガスケット７から構成されている。第１の断熱材２は加工時に熱溶着工程があり、加工後周囲に熱溶着部となるヒレ８（２点鎖線部）が周囲（４辺）に発生する。
【０００５】
以上のように構成された自動販売機の断熱壁の仕切り板について、以下その動作を説明する。
【０００６】
図３（ａ）に示すように、第１の断熱材２の上枠３、下枠４、後枠５で覆われた断熱壁の仕切り板は硬質ウレタンフォームで形成されている庫内に取り付けられており、商品収納ラックは仕切り板で仕切られた各庫内部屋に装着されている。かかる構成で、商品収納ラックに収納した商品を庫内に備えた冷却器で保冷する、ないしは加熱ヒータで加熱してコールド商品、ないしはホット商品として販売することは周知の通りである。コールド商品およびホット商品の温度を保持するために、各庫内部屋は加温室と冷却室に仕切られており、その第１の断熱材２として硬質ウレタンフォームまたは真空断熱材が使われている。また、図３（ｂ）に示すように、第１の断熱材２である真空断熱材と第２の断熱材６を結合するためには真空断熱材のヒレ１６を折り曲げる必要があり、折り曲げ後の平面部に第２の断熱材６を貼り付けている。ヒレ１６の折り曲げ後の固定方法はテープ１７による仮止めを行っている。また、前枠６に取り付けられたガスケット７によって、断熱扉が閉じた状態での、断熱扉との隙間が塞がれており、加温室から冷却室への熱の侵入を抑えている。
【特許文献１】特開２００７−１２２３１６号公報
【発明の開示】
【発明が解決しようとする課題】
【０００７】
しかしながら、上記従来の構成では仕切り板を組み立てる際、真空断熱材のヒレ折作業が発生し、組立工数増大の要因となっている。ヒレ折後の端面に第２の断熱材を貼り付けるためには貼付け部、すなわち端面部において平面度が必要となり、冶具を使用して端面を押さえて折り曲げなければならない。
【０００８】
本発明は、上記従来の発明を解決するもので、ヒレを折らずに仕切り板の組立を可能とし、組立作業工数の削減および断熱効果の高い自動販売機を提供することを目的とするものである。
【課題を解決するための手段】
【０００９】
上記従来の課題を解決するために、本発明の自動販売機は、自動販売機本体の収納室を左右に仕切る仕切り板を備え、前記仕切り板は、周囲に熱溶着部であるヒレを有する略矩形状の真空断熱材からなる第１の断熱材と、粘着部を有する軟質フォームからなり前記仕切り板の前枠、上枠、下枠、後枠となる第２の断熱材と、シートとからなり、前記第１の断熱材の上部、下部、後部の前記ヒレが折られて仮止めされた状態で前記第１の断熱材の上部、下部、後部に前記上枠、下枠、後枠となる前記第２の断熱材が組み合わされ、前記第１の断熱材の前部の前記ヒレは折らずに前記前枠となる前記第２の断熱材と前記粘着部により接合され、一枚の前記シートが前記第１の断熱材及び前記第２の断熱材の組み合わされたものの左右両面と前記後枠の後面とを一緒に覆って前記第１の断熱材及び前記第２の断熱材を一体化しているのである。
【００１０】
これにより、第１の断熱材の前部のヒレは折らずに前枠となる第２の断熱材と粘着部により接合され、一枚のシートが第１の断熱材及び第２の断熱材の組み合わされたものの左右両面と後枠の後面とを一緒に覆って第１の断熱材及び第２の断熱材を一体化している構成としたので、前記仕切り板の組立作業工数の削減を図ることができる。
【発明の効果】
【００１１】
本発明における自動販売機本体の収納室を左右に仕切る仕切り板は、第１の断熱材の前部のヒレは折らずに前枠となる第２の断熱材と粘着部により接合され、一枚のシートが第１の断熱材及び第２の断熱材の組み合わされたものの左右両面と後枠の後面とを一緒に覆って第１の断熱材及び第２の断熱材を一体化している構成としたので、前記仕切り板の組立作業工数の削減を行うことができる。
【発明を実施するための最良の形態】
【００１２】
請求項１に記載の発明は、自動販売機本体の収納室を左右に仕切る仕切り板を備え、前記仕切り板は、周囲に熱溶着部であるヒレを有する略矩形状の真空断熱材からなる第１の断熱材と、粘着部を有する軟質フォームからなり前記仕切り板の前枠、上枠、下枠、後枠となる第２の断熱材と、シートとからなり、前記第１の断熱材の上部、下部、後部の前記ヒレが折られて仮止めされた状態で前記第１の断熱材の上部、下部、後部に前記上枠、下枠、後枠となる前記第２の断熱材が組み合わされ、前記第１の断熱材の前部の前記ヒレは折らずに前記前枠となる前記第２の断熱材と前記粘着部により接合され、一枚の前記シートが前記第１の断熱材及び前記第２の断熱材の組み合わされたものの左右両面と前記後枠の後面とを一緒に覆って前記第１の断熱材及び前記第２の断熱材を一体化しているので、前記仕切り板の組立作業工数の削減を行うことができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１による自動販売機のメインドアを開いた状態の斜視図である。図１において断熱構造のキャビネット８で、このキャビネット８は前面が開放する箱状をなし、このキャビネット８の前にメインドア９と内扉１０が取り付けられている。またメインドア９の上部にはローディング扉１１が取り付けられている。一方キャビネット８内には仕切り板１が二枚互いに対向して設けられ、これら仕切り板１によりキャビネット８内が仕切り板１の相互間の加温室１２と、一方の仕切り板１の左側冷却室１３と他方の仕切り板１の右側冷却室１４との三室に仕切られている。そしてこれら加温室１２と冷却室１３，１４内にそれぞれ例えばサーペンタイン形のコラム１５が設けられ、これらコラム１５内に所定の商品が収納されている。加温室１２のコラム内に収納された各商品は加温手段（図示せず）により保温され、冷却室１３，１４のコラム内に収納された各商品は冷却手段により保冷される。
【００１５】
図２（ａ）は本発明の実施の形態１による自動販売機の仕切り板における第１の断熱材と第２の断熱材を組み合わせる前の斜視図である。図２（ｂ）は、本発明の実施の形態１による自動販売機の仕切り板における第１の断熱材のヒレ部と第２の断熱材との平面断面図である。図２（ａ）において、第１の断熱材２の周囲に第１の断熱材２よりも低い断熱性能を有する第２の断熱材である上枠３、下枠４および後枠５を配置する。なお第１の断熱材２は真空断熱材であり、周囲（４辺）に熱溶着部であるヒレ１６および１６´が形成されている。第２の断熱材である前枠６はヒレ１６´に貼られている。なお、第２の断熱材は粘着剤付きの軟質フォームであり、ガスケット７は第２の断熱材である前枠６の前部に配置される。図２（ｂ）において、第１の断熱材２のヒレ１６´は第２の断熱材である前枠６の粘着剤とで接合されている。第２の断熱材を一つの箱型の形状に組み合わせて、シート１８で覆い、テープ等で接合し、一つの第１の仕切り板１を形成する。なおシート１８として紙を用いると安価である利点があるが、これに限るものでもなく、他のシート状の材料を用いることも可能である。また、シート１８と第１の断熱材２と第２の断熱材である上枠３、下枠４および後枠５を覆うために、その覆う面に予め接着のためののり等を接着剤として配置することも可能である。
【００１６】
以上のように構成された自動販売機の仕切り板について、以下その動作を説明する。
【００１７】
このように構成された自動販売機は、開閉自在の内扉１０で塞がれ、その内部に設けた冷却装置（図示せず）と加温装置（図示せず）により、冷却室１３，１４と加温室１２は所定の温度で保存することができる。仕切り板前面部の断熱およびシール構造に関しては第１の断熱材に配置したガスケットが仕切り板前面の熱伝導を抑え、ガスケット前面部に形成された軟質のガスケットが弾性変形することにより内扉１０およびローディング扉１１との隙間をシールすることで断熱している。仕切り板１２の上部、下部、後部のシール構造に関しては、第１の断熱材２の周囲を覆っている軟質フォームがキャビネット８の庫内の上部、下部、後部に設置されている硬質プラスチックフォームのスラブ材を圧縮することにより、シールを行っている。第１の断熱材２の上部、下部および後部のヒレ１６（２点鎖線部）は固定治具によって折られ（２点鎖線矢印方向）、テープ貼り固定によって、仮止めされている。前部のヒレ１６´においては折らずに第２の断熱材の粘着部と接合されている。
【００１８】
以上のように、本実施の形態においては、第２の断熱材前部のヒレ１６´を折らずに仕切り板１を組み立てることができるため、組立作業工数を削減することができる。
【産業上の利用可能性】
【００１９】
以上のように本発明にかかる自動販売機は、高い断熱性能を有する略矩形状の断熱材のヒレを折らずに仕切り板の組立が可能となり、組立作業工数を下げることができるので、自動販売機に限らず、隣接する二室を備えた冷却、加温機器にも適用できる。
【図面の簡単な説明】
【００２０】
【図１】本発明の実施の形態１における自動販売機のメインドアを開いた状態の斜視図
【図２】（ａ）本発明の実施の形態１における自動販売機の仕切り板における第１の断熱材と第２の断熱材を組み合わせる前の状態の斜視図（ｂ）本発明の実施の形態１における自動販売機の仕切り板における第１の断熱材のヒレ部と第２の断熱材との平面断面図
【図３】（ａ）従来の自動販売機の仕切り板における第１の断熱材と第２の断熱材を組み合わせる前の状態の斜視図（ｂ）従来の自動販売機の仕切り板における第１の断熱材のヒレ部と第２の断熱材との平面断面図
【符号の説明】
【００２１】
１    仕切り板
２    第１の断熱材
６    前枠（第２の断熱材）
１６´  ヒレ
【図１】
0005092806.tif 000002
【図２】
0005092806.tif 000003
【図３】
0005092806.tif 000004